(57)【要約】      （修正有）【課題】蛍を観賞する際、観賞できる時間を早めることにより、児童や高齢者においても、安全で楽しく蛍を観賞することができる蛍飼育装置を提供する。【解決手段】蛍を飼育する水路部１０と、該水路部１０を覆うハウス体２０とからなる蛍飼育装置１であって、前記ハウス体２０の周囲に、ハウス体内２０に入射される太陽光の量を軽減する被覆体３０を具備したことを特徴とする。また前記被覆体３０は、ハウス体の上部を覆う上面植物群３１と、ハウス体２０の両側面を覆う側面植物群３２とからなる。【選択図】図１
0003178186.tif 000002
【実用新案登録請求の範囲】
【請求項１】
蛍を飼育する水路部と、該水路部を覆うハウス体とからなる蛍飼育装置であって、前記ハウス体の周囲に、ハウス体内に入射される太陽光の量を軽減する被覆体を具備したことを特徴とする蛍飼育装置。
【請求項２】
前記被覆体は、ハウス体の上部を覆う上面植物群と、ハウス体の両側面を覆う側面植物群とからなる請求項１記載の蛍飼育装置。
【請求項３】
前記水路部に、泡状の空気及び水を循環させる循環装置を具備した請求項１または２記載の蛍飼育装置。
【請求項４】
前記水路部の水中に、微細孔を有する多孔質の合成樹脂体からなる合成樹脂製置物を配置させた請求項１乃至３のうちいずれか１項に記載の蛍飼育装置。
【考案の詳細な説明】
【技術分野】
【０００１】  本考案は蛍を観賞する際、観賞できる時間を早めることにより、安全で楽しく蛍を観賞することができる蛍飼育装置に関する。
【背景技術】
【０００２】  蛍の成虫は、腹部後方の一定の体節に発光器を持つ。その発光物質は、ルシフェリンと呼ばれ、ルシフェラーゼという酵素とＡＴＰが働くことで発光するとされている。【０００３】  この蛍を育成する従来技術として、床土濾材内において好気性バクテリアが十分繁殖し、かつ活性を確保し得るような蛍育成システムがある（例えば特許文献１参照）。
上掲特許文献１の蛍育成システムは、川蜷を繁殖させ、かつ蛍の幼虫を育成するための床土濾材、及び蛍の幼虫が這い上がることが出来る陸部をそれそれ容器内に設け、当該床土濾材の内部を貫通すると共に、当該容器外に連通し、かつ水を浸出し得る水供給パイプを設けている蛍育成システムにおいて、当該水供給パイプ内を流通する水に対し、酸素貯留装置又は酸素発生装置によって、酸素貯留装置又は酸素発生装置から供給した酸素ガスを溶解させていることに基づき、好気性バクテリアの活性によって容器内の水を浄化させることを特徴としている。
【先行技術文献】
【特許文献】
【０００４】
【特許文献１】特開２００６−２８０３４２号公報
【考案の概要】
【考案が解決しようとする課題】
【０００５】  しかしながら、上掲特許文献１の蛍育成システムや通常の自然環境下で発光している蛍を観賞するには、周囲が暗くなる夕暮れや夜間になるまで待たなければならない。そのため、児童や高齢者が蛍を観賞するには、観賞する環境が好ましくなく、怪我や事故が発生するという問題があった。【０００６】  そこで本考案は上記の点に鑑み、蛍を観賞する際、観賞できる時間を早めることにより、児童や高齢者においても、安全で楽しく蛍を観賞することができる蛍飼育装置を提供することにある。
【課題を解決するための手段】
【０００７】上記課題を解決するために本考案の蛍飼育装置は、蛍を飼育する水路部と、該水路部を覆うハウス体とからなる蛍飼育装置であって、前記ハウス体の周囲に、ハウス体内に入射される太陽光の量を軽減する被覆体を具備したことを特徴とする。【０００８】  また前記被覆体は、ハウス体の上部を覆う上面植物群と、ハウス体の両側面を覆う側面植物群とからなる。【０００９】  また前記水路部に、泡状の空気及び水を循環させる循環装置を具備した。【００１０】  さらに前記水路部の水中に、微細孔を有する多孔質の合成樹脂体からなる合成樹脂製置物を配置させた。
【考案の効果】
【００１１】  本考案の蛍飼育装置は、蛍を飼育する水路部と、該水路部を覆うハウス体とからなる蛍飼育装置であって、前記ハウス体の周囲に、ハウス体内に入射される太陽光の量を軽減する被覆体を具備したことにより、ハウス体内が蛍観賞に好適な環境を作り上げることができる。【００１２】  また前記被覆体は、ハウス体の上部を覆う上面植物群と、ハウス体の両側面を覆う側面植物群とからなるため、自然環境にも好ましい状態となる。【００１３】  また前記水路部の水中に、微細孔を有する多孔質の合成樹脂体からなる合成樹脂製置物を配置させたことにより、蛍の生育にも適した環境が実現できる。
【図面の簡単な説明】
【００１４】
【図１】本考案の蛍飼育装置の全体斜視図である。
【図２】前記蛍飼育装置の一部を断面した正面図である。
【図３】前記蛍飼育装置の循環装置の断面図である。
【図４】合成樹脂製置物具の詳細を示す断面図である。
【考案を実施するための形態】
【００１５】  本考案の蛍飼育装置は、蛍を観賞する際、観賞できる時間を早めることにより、児童や高齢者においても、安全で楽しく蛍を観賞することができることを特徴とするものである。
以下、本考案における蛍飼育装置の実施の形態を図面に基づいて説明する。
【００１６】  図示する蛍飼育装置１は、蛍を飼育する水路部１０と、該水路部１０を覆うハウス体２０とからなる蛍飼育装置であって、前記ハウス体２０の周囲に、ハウス体２０内に入射される太陽光の量を軽減する被覆体３０を具備したことを特徴とする。
【００１７】  水路部１０は、蛍を育成する川状の水路であり、長さや幅は特に限定されたものではないが、本考案に実施例においては長さ１０ｍ、幅が１ｍ程度に形成されている。
また前記水路部１０は、水を流さず、水中に空気を送って水路部１０内の水を循環させている。
【００１８】  また前記水路部１０の周囲にはハウス体２０が被覆されている。ハウス体２０は、汎用の作物用のビニールハウスを使用することができる。また前記ハウス体２０は、複数の人が行き来できる大きさを有している。また前記ハウス体２０の前後開口部２１に、遮光用のカーテンを備えることもできる。さらに前記ハウス体２０の上部には、水路部１０の水の蒸発を抑えるシャワー２２が設置されている。
【００１９】  また特に、前記ハウス体２０の周囲には、ハウス体２０内に入射される太陽光の量を軽減する被覆体３０が具備されている。被覆体３０は、日中の太陽光Ａがハウス体２０内に入射される量を軽減するものである。前記被覆体３０は、通気性の優れたものであれば特に限定されたものではないが、外観的に見栄えがよくて遮光性を有する植物が好ましい。
【００２０】  また前記被覆体３０は、ハウス体２０の上部を覆う上面植物群３１と、ハウス体２０の両側面を覆う側面植物群３２とからなる。上面植物群３１は、枠状の支柱３３の上部に配設されるもので、通気性と遮光性を兼ね備えた胡瓜等の蔓性植物が特に好ましい。上面植物群３１を配設することで、ハウス体２０の上方より入射される太陽光の量を軽減することができる。
【００２１】  側面植物群３２は、ハウス体２０の両側面を覆う箇所に配設されるもので、背丈の高い植物が地面上に植生される。側面植物群３２は、特に限定されるものではないが、背丈の高い菊芋等が好ましく用いられる。側面植物群３２を植生することで、ハウス体２０の両側面より入射される太陽光の量を軽減することができる。
【００２２】  因みに蛍の成虫は、腹部後方の一定の体節に発光器を持つ。その発光物質は、ルシフェリンと呼ばれ、ルシフェラーゼという酵素とＡＴＰが働くことで発光するとされている。また前記発光器は、発光細胞、反射細胞、神経、気管から成り立っており、発光細胞内に存在する発光素ルシフェリン、酵素ルシフェラーゼ、ＡＴＰ：アデノシン三燐酸やマグネシウムイオンが、気管から供給される酸素によって化学反応を起こし、光を発するとされている。また反応によって生じた光は、反射細胞によって透明な表皮を透り外部に放射され、発光器内を巡る神経によって制御される。
【００２３】  しかしながら、蛍の発光器より発光される光は、日中の太陽光の中では視認することができない。そのため、ハウス体２０の上面と側面を前記上面植物群３１と側面植物群３２で被覆することで、ハウス体２０内を薄暗い視認可能な環境に維持することができる。なお、ハウス体２０内に入射される太陽光を完全に遮光すると、蛍の寿命が縮まる等の悪影響を与える虞が生じる。そのため、蛍の光を観賞できるよう、ハウス体２０内の明るさを、通常の時間の２〜３時間早める状態に設定することが好ましい。
【００２４】  また他の好適例として、図３に示すように、前記水路部１０には、泡状の空気及び水を循環させる循環装置５０が備えられている。循環装置５０は、筒状本体５１に収容された泡発生具５２と、泡発生具５２に連結された、エアーポンプ（図示せず）より空気を送り込むエアー供給管５３と、筒状本体５１に連設された筒状部５４と、筒状部５４に連結された噴水用管５５からなる。また前記筒状部５４には空気抜部５６が具備されている。
【００２５】  次に、前記循環装置５０の使用方法を説明する。先ず、エアーポンプ（図示せず）にて泡発生具５２に空気を送り込む。すると、筒状本体５１内の泡状の空気及び水が筒状部５４へ送水され、その水が噴水用管５５から噴出される。噴水用管５５から噴出された泡状の空気及び水は再度水路部１０へ循環される。なお、水路部１０の水は筒状本体５１に装着されたフィルター５６にて濾過され、再び筒状本体５１内に送り込まれる。
【００２６】  上述の構造により、泡発生具５２により形成された泡状の空気及び水を、噴水用管５５より噴水させ、再び水路部１０内の水中に循環させることにより、蛍の育成に好適な環境を実現できる。
【００２７】  図４に示す合成樹脂製置物４０は、微細孔４２を有する多孔質の合成樹脂体４１であり、水路部１０の水面に浮いた状態で配設されている。前記合成樹脂製置物４０を図示するように水路部１０内に浮いた状態に配設することで、合成樹脂製置物４０の下部が蛍の隠場になるとともに、上部に登ることで水面上に上がることもできる。
【００２８】  多孔質の合成樹脂体４１は、ポリプロピレン等からなり、ポリプロピレン等に、トルマリン、マグネシウム及びチベット産赤塩からなる群から選択される一以上の還元性物質を担持させ、さらに水を加えて混練機に投入し、圧力約５０ｋｇ／ｃｍ２、１５０〜２００℃の温度で混練する。これにより、トルマリン等の還元性物質がポリプロピレン等に担持されるとともに、樹脂内において水が蒸発することによって気泡が発生する。そして、樹脂の外側から真空を利用して樹脂内に封入された水蒸気を吸引すると、水蒸気が吸引された後に連続気泡が形成され、多孔質の合成樹脂体４１が得られる。なお、ポリプロピレン等には、廃プラスチックを利用することもできる。
【００２９】  なお、本考案の蛍飼育装置１の水路部１０に使用される前記合成樹脂製置物４０は、本出願人が既出願した実用新案登録第３１４０４９４号に開示した合成樹脂製置物が好適に使用される。
【００３０】  上述の如く、本考案の蛍飼育装置１は、蛍を飼育する水路部１０と、該水路部１０を覆うハウス体２０とからなり、前記ハウス体２０の周囲に、ハウス体２０内に入射される太陽光の量を軽減する被覆体３０を具備したことにより、ハウス体１０内が蛍観賞に好適な状態を作り上げることができる。
【００３１】  また前記被覆体３０は、ハウス体１０の上部を覆う上面植物群３１と、ハウス体１０の両側面を覆う側面植物群３２とからなるため、自然環境にも好ましい状態となる。
【００３２】  また前記水路部１０の水中に、微細孔４２を有する多孔質の合成樹脂体４１を浮いた状態で配設することで、蛍の生育に適した環境も実現できる。
【符号の説明】
【００３３】１    蛍飼育装置
１０  水路部
２０  ハウス体
２１  本体部
２２  開口部
３０  被覆体
３１  上面植物群
３２  側面植物群
３３  支柱
４０  合成樹脂製置物
４１  合成樹脂体
４２  微細孔
５０  循環装置
５１  筒状本体
５２  泡発生具
５３  エアー供給具
５４  筒状部
５５  噴水用管
５６  フィルター
Ａ    太陽光
【図１】
0003178186.tif 000003
【図２】
0003178186.tif 000004
【図３】
0003178186.tif 000005
【図４】
0003178186.tif 000006